(57)【要約】【課題】  記録が一旦停止された後に記録を再開する際にも、光ディスク上への記録マークの形成が適正に行われることを可能として、記録品質を向上した光学的情報記録再生方法及び光学的情報記録再生装置を提供する。【解決手段】  ｔ１，ｔ３，ｔ５のタイミングでレーザ発光強度を記録強度のレベルとなるように立上げ、ｔ２，ｔ４，ｔ６のタイミングでレーザ発光強度を記録強度から解除するために立下げるパターンで光ディスクにレーザ光を照射して情報を記録するときに、ｔ７において記録を一旦停止してその後記録を再開する場合には、ｔ３とｔ４の間の位置から記録を再開する。  これにより、記録停止位置から最初にレーザ光強度が立上がるｔ５においても、レーザ光強度の立上がりが鈍ることがなく、光ディスク上に記録マークを適正に形成することができる。【選択図】          図３
2005032387.tif 000002
【特許請求の範囲】
【請求項１】
光記録媒体に対してレーザ光を照射して前記光記録媒体上に情報を記録し再生する光学的情報記録再生方法において、
情報記録を一旦停止しその後情報記録を再開する際に、既に情報記録がなされている位置から情報記録を再開し、
所定のレーザ光強度に達する時間に対応した区間に応じて前記再開位置から前記停止位置までに記録されている情報を再度記録した後、前記停止位置以降について情報記録を行う
ことを特徴とする光学的情報記録再生方法。
【請求項２】
前記情報記録の再開位置は、既に記録されている情報を記録したときのレーザ光強度の立上り位置と立下り位置とを検出することによって決定し、
前記再開位置においてレーザ光強度レベルを記録レベルに立上げる
ことを特徴とする請求項１記載の光学的情報記録再生方法。
【請求項３】
光ディスクに対してレーザ光を照射して前記光ディスク上に情報を記録し再生する光学的情報記録再生装置において、
記録停止命令を受け取ると、既に情報記録がなされている位置を情報記録の再開位置と定めて記録を停止させ、記録再開命令を受け取ると、前記再開位置から前記停止位置までに記録されている情報を再度記録した後、前記停止位置以降について情報記録を行わせる記録制御部を備えた
ことを特徴とする光学的情報記録再生装置。
【請求項４】
前記記録制御部は、記録停止命令を受けて、既に記録されている情報が記録されたときのレーザ光強度の立上り位置と立下り位置とに基づいて、前記情報記録の再開位置を決定する記録再開位置決定回路と、
記録再開命令を受けて、前記再開位置からのデータをレーザパワーコントロール回路に出力するデータバッファと、
を有することを特徴とする請求項３記載の光学的情報記録再生装置。
【発明の詳細な説明】
【技術分野】
【０００１】
本発明は、光学的情報記録再生方法及び光学的情報記録再生装置に関し、特に、記録が一旦停止された後に記録を再開する際にも、光ディスク上への記録マークの形成が適正に行われるようにした光学的情報記録再生方法及び光学的情報記録再生装置に関する。
【背景技術】
【０００２】
光学的情報記録媒体を用いて情報記録を行うシステムにおいては、記録媒体となる光ディスクに対してピックアップからレーザ光が照射されて、情報が記録され再生される。光ディスクにレーザ光が照射されると、光ディスクのトラックに島状の記録マークが形成され、この記録マークが０または１のいずれかに相当する情報単位を形成する。記録マーク形成開始位置と記録マーク形成終了位置が情報を表すようにした記録方法はマーク長記録方式と呼ばれる。
【０００３】
このマーク長記録方式は、記録マークのエッジを利用するものであることから、高密度化できる利点がある一方で、記録マークの長さを高精度に制御することが要求される。また、記録マークの長さと幅は、使用環境温度の変動によって影響を受けることを考慮して、この点についての制御を可能とした技術が特許文献１に開示されている。
【０００４】
【特許文献１】特開平６−８４２２４号公報（段落番号０００４〜００１４）
【発明の開示】
【発明が解決しようとする課題】
【０００５】
上述したように、マーク長記録においては、記録マークのエッジ位置が情報を表すため、エッジ位置を正確に形成することが重要となる。記録マークは、光ディスクにレーザ光が照射されることによって形成されることから、エッジ位置を正確に形成するためには、ピックアップから光ディスクに照射されるレーザ光の強度を正確に制御することが必要となる。このレーザ光の強度の制御は、記録マーク形成の開始位置においてレーザ光の強度を記録レベルにまで立ち上げ、記録マーク形成の終了位置においてレーザ光の強度を記録レベルから解除することにより行われる。記録マークの形成に際して、通常はレーザ発光のオン／オフが規則的に連続して行われるため、記録マーク形成の開始位置におけるレーザ光強度の立ち上がり時間は一定に保たれる。
【０００６】
しかし、記録が一旦停止された後に記録を再開する際に、停止時間が長時間に亘る場合には、記録が停止されずに、レーザ発光のオン／オフが規則的に連続して行われる場合に比べて、レーザ発光強度の立上り時間が長くなる。そのため、光ディスク上への記録マークの形成が適正に行われず、記録品質が劣化する。
【０００７】
本発明は、以上の問題点を解決するためになされたもので、記録が一旦停止された後に記録を再開する際にも、光ディスク上への記録マークの形成が適正に行われることを可能として、記録品質を向上した光学的情報記録再生方法及び光学的情報記録再生装置を提供することを目的とする。
【課題を解決するための手段】
【０００８】
以上の課題を解決するために、本発明は、光記録媒体に対してレーザ光を照射して前記光記録媒体上に情報を記録し再生する光学的情報記録再生方法において、情報記録を一旦停止しその後情報記録を再開する際に、既に情報記録がなされている位置から情報記録を再開し、所定のレーザ光強度に達する時間に対応した区間に応じて前記再開位置から前記停止位置までに記録されている情報を再度記録した後、前記停止位置以降について情報記録を行うことを特徴とする光学的情報記録再生方法である。
【０００９】
記録の再開位置を記録停止位置と同じとせずに上記の位置とすることにより、記録停止位置から最初にレーザ光強度が立上がる位置に達するまでの間に、予備的にレーザ光強度を記録レベルにまで一旦立ち上げることができる。そのため、記録停止位置から最初にレーザ光強度が立上がる位置においてもレーザ出力が安定し、記録が停止されたことによってレーザ光強度を記録レベルにまで立ち上げる際の立上がりが鈍くなることを防止することができる。
【００１０】
また、本発明は、光ディスクに対してレーザ光を照射して前記光ディスク上に情報を記録し再生する光学的情報記録再生装置において、記録停止命令を受け取ると、既に情報記録がなされている位置を情報記録の再開位置と定めて記録を停止させ、記録再開命令を受け取ると、前記再開位置から前記停止位置までに記録されている情報を再度記録した後、前記停止位置以降について情報記録を行わせる記録制御部を備えたことを特徴とする光学的情報記録再生装置である。
【００１１】
上記の記録再開位置から情報記録を再開させるための記録制御回路を備えることにより、情報記録が一旦停止されその後情報記録が再開される場合であっても、記録が停止されずに連続して記録される場合と同様のレーザ光強度の立上がりを確保することができる。
【発明の効果】
【００１２】
本発明の光学的情報記録再生方法によると、情報記録を一旦停止しその後情報記録を再開する場合であっても、記録を停止せずに連続して記録する場合と同様のレーザ光強度の立上がりを確保することができ、記録マークのエッジ位置を正確に形成することができるため、記録品質が向上する。
【００１３】
本発明の光学的情報記録再生装置によると、情報記録が一旦停止されその後情報記録が再開される場合であっても、記録が停止されずに連続して記録される場合と同様のレーザ光強度の立上がりを確保することができ、記録マークのエッジ位置を正確に形成することができるため、記録品質が良好な光学的情報記録再生装置を実現することができる。
【発明を実施するための最良の形態】
【００１４】
以下、本発明を実施するための最良の形態について説明する。
【００１５】
図１は、光学的情報記録再生装置の構成の一例を示すブロック図である。図１において、光ディスク１は、スピンドルサーボ回路２ａによって制御されたスピンドルモータ２ｂにより、所定の回転数を保つように制御されて回転している。ピックアップ３は、光ディスク１に対して所定の位置で情報の記録再生ができるようにサーボ回路４により位置制御されている。ピックアップ３から出射されたレーザビームが光ディスク１に照射されて光ディスク１上に情報を記録し、また光ディスク１上に記録された情報を読み取って再生する。ピックアップ３から出射されるレーザビームの強度は、レーザパワーコントロール回路５によって制御される。
【００１６】
ピックアップ３は、例えば光ディスク１の円周方向に刻まれているウォッブル波形を読み取ることによって光ディスク１のアドレスデータを検出し、アドレス信号復調回路６に入力する。アドレス信号復調回路６は、目的とするアドレスデータを復調して、光ディスク１の現在位置情報が検出される。このようにして検出されたアドレスデータはコントローラ７に与えられ、コントローラ７はこのアドレスデータに基づいてサーボ回路４に対して指令を出し、サーボ回路４は光ディスク１上の所望の位置までピックアップ３を移動させる。
【００１７】
光ディスク１上へ記録されるべき記録データは、まず変調回路８によって変調される。この変調の一例として、ＤＶＤ（Ｄｉｇｉｔａｌ  Ｖｅｒｓａｔｉｌｅ  Ｄｉｓｃ）で用いられているＥＦＭ（Ｅｉｇｈｔ  ｔｏ  Ｆｏｕｒｔｅｅｎ  Ｍｏｄｕｌａｔｉｏｎ）プラス変調を用いることができる。変調された記録データはレーザドライブ回路９に入力され、レーザドライブ回路９は記録データに応じてレーザ出力制御を行う。また、コントローラ７はレーザが記録強度レベルとなるように、レーザパワーコントロール回路５のパワー設定を行う。以上により、変調された記録データに応じた記録マークが光ディスク１上に形成される。
【００１８】
光ディスク１に記録された情報を再生する際には、アドレス信号復調回路６から出力されたアドレスデータがコントローラ７に送られ、コントローラ７はアドレスデータを基にピックアップ３を所望のアドレス位置に移動させ、目的とするアドレスのウォッブル信号を再生する。再生されたウォッブル信号により、アドレス信号復調回路６によって記録されているアドレスデータが再生される。
ピックアップ３は、光ディスク１上にピットとして記録されているアドレス領域情報を、光強度信号（ＰＩＴ―ＲＦ信号）として読み出し、その信号がＲＦ信号復調回路１１に入力されて再生データが得られる。
【００１９】
このように、光ディスク１を用いた光学的情報記録再生装置においては、情報の記録は、変調回路８で変調されたデータに応じてレーザドライブ回路９がレーザ出力の制御を行うことによってなされる。情報の記録に際しては、記録の開始と停止を伴うが、アドレス信号復調回路６から送られるアドレスデータをコントローラ７が受け取り、このアドレスデータを基にコントローラ７からの命令を記録制御回路１０が受け取って、光ディスク１上の所望の位置において記録の開始、停止を行う。
【００２０】
図２から図９を用いて、本発明の光学的情報記録再生装置を用いた記録方法について説明する。
【００２１】
図２から図７においてはいずれも、ピックアップ３から光ディスク１に照射されるレーザ発光強度の時間変化と、このレーザ照射により光ディスク１上に形成される記録マークとを示している。
【００２２】
図２において、ｔ１，ｔ３，ｔ５のタイミングでレーザ発光強度を記録強度のレベルとなるように立上げ、ｔ２，ｔ４，ｔ６のタイミングでレーザ発光強度を記録強度から解除するために立下げている。このレーザ光強度の立上げ、立下げに際して、レーザ発光強度は立上り時間及び立下り時間を伴い、これに伴って、光ディスク上に図示するような記録マークが形成される。
【００２３】
光ディスク１上への情報記録が連続して行われる場合には、レーザ発光の強度変化は、ｔ１からｔ６までの間で規則的であり、ｔ１，ｔ３，ｔ５の立上がり点における立上がり時間は等しく、ｔ２，ｔ４，ｔ６の立下がり点における立下がり時間は等しい。その結果、記録マークのエッジ位置は正確に形成されて理想的な状態が保たれる。
【００２４】
図３は、ｔ７において記録が一旦停止し、その後記録が再開される場合を示しており、このような場合においても、光ディスク上に形成される記録マークを図３に示すように、図２の場合と同様に記録マークのエッジ位置が正確に形成されることを、本発明は可能とするものである。
【００２５】
ｔ７において記録が一旦停止されると、レーザ発光強度の時間変化は図４に示すように、ｔ７以降はレーザ発光強度が記録強度のレベルとはならないまま時間が経過する。
【００２６】
本発明は、一定時間記録が停止した後に記録を再開するために、ｔ５のタイミングでレーザ発光強度を記録強度のレベルにまで立上げるときに、図５（ａ）のように、レーザ発光が一定時間停止していたことによる立上りの遅れによって記録マークが正確に形成されなくなることを防止して、図５（ｂ）のように、立上りの遅れを生じないようにするための手段を有している。この手段について図６から図９に基づいて説明する。
【００２７】
本発明は、情報記録を一旦停止しその後情報記録を再開する際に、既に情報記録がなされている光ディスク上の位置から情報記録を再開し、再開位置から停止位置までに記録されている情報を再度記録した後、停止位置以降について情報記録を行うものである。
【００２８】
具体的には、図６に示すように、光ディスク上のｔ７の位置で記録を停止した後、記録を再開してｔ５の位置でレーザ発光レベルを立上げるにあたり、記録を再開する際の光ディスク上の開始点をｔ７ではなく、それより前である、図７（ａ）に示すｔ８とする。開始点ｔ８は、すでに形成されている記録マークの開始点に対応する立上がり位置であるｔ３と、記録マークの終了点に対応する立下がり位置であるｔ４との間、すなわちｔ３＜ｔ８＜ｔ４の条件を満たすように設定される。開始点ｔ８をこのように設定することにより、すでに形成されている記録マークのエッジ位置が、データの再書込みによって影響を受けることを防止することができる。
【００２９】
開始点ｔ８の決定は、記録制御回路１０によって行なわれ、記録停止点であるｔ７に対して、それより以前の立上がり点ｔ３、立下がり点ｔ４をデータとして保持することにより行われる。
【００３０】
また、記録再開後のレーザ発光強度のパターンは、図７（ａ）に示すものに限定されるものではなく、図７（ｂ）のように、レーザ発光強度を記録強度から立下げる点をｔ４より以前のｔ９とすることもできる。
【００３１】
図８に、記録制御回路１０の構成の一例を示す。記録制御回路１０においては、変調データの立上り位置及び立下り位置が検出されて、記録再開位置決定回路１２に記録される。また、変調データは第１変調データバッファ１３にバッファリングされる。記録制御回路１０が記録停止指示を受けない通常の状態では、変調データが第２変調データバッファ１４を介してレーザパワーコントロール回路５へ出力されて、情報の記録が行われる。
【００３２】
記録制御回路１０がコントローラ７から記録停止指示を受けると、記録再開位置決定回路１１によって変調データの立上り位置及び立下り位置に基づいて記録再開点ｔ８が決定され、第１変調データバッファ１３から第２変調データバッファ１４への変調データの転送が指示される。この指示によって、第１変調データバッファ１３から、図７に示すｔ８からｔ７の位置までの変調データが第２変調データバッファ１４に転送され、第２変調データバッファ１４はこの時点で出力を停止する。
【００３３】
その後、記録制御回路１０は記録再開指示を受けると、図７に示すｔ８からｔ７の位置までの変調データが、第２変調データバッファ１４からレーザパワーコントロール回路５へ出力され、その後に、図７に示すｔ７以降の変調データが出力される。
【００３４】
図９に記録再開指示を受けた後の処理手順を示す。記録再開位置決定回路１２によって記録再開位置が決定されると（ステップＳ１）、コントローラ７がこの記録再開位置を受信する（ステップＳ２）。記録再開位置のアドレス情報に基づいて、コントローラ７はサーボ回路４に対して指令を出し、サーボ回路４は光ディスク１上の記録再開位置までピックアップ３を移動させる（ステップＳ３）。その後、記録再開位置から変調データの出力が再開されて記録が再開される（ステップＳ４）。具体的には、変調データがレーザドライブ回路９に入力され、レーザドライブ回路９は変調データに応じたレーザ出力制御を行って、変調データに応じた記録マークが光ディスク１上に形成される。
【００３５】
本実施形態の光学的情報記録再生装置では、図６に示すｔ３、ｔ４に対して、情報記録の再開位置を、ｔ３＜ｔ８＜ｔ４の条件を満たすように設定することにより、すでに形成されている記録マークのエッジ位置がデータの再書込みによって影響を受けることを防止しつつ、記録停止位置ｔ７から最初にレーザ光強度が立上がる位置であるｔ５に達するまでの間に、予備的にレーザ光強度を記録レベルにまで一旦立ち上げることができる。そのため、レーザ発光が一定時間停止していたことによるレーザ光強度の立上りの遅れをなくして、記録マークを正確に形成することが可能となる。
【産業上の利用可能性】
【００３６】
本発明は、記録マークのエッジ位置を正確に形成することができるため、マーク長記録方式の光学的情報記録再生装置において特に有効である。
【図面の簡単な説明】
【００３７】
【図１】本発明の光学的情報記録再生装置の構成の一例を示すブロック図である。
【図２】情報記録が連続して行われる場合のレーザ発光の強度変化と、これに伴って光ディスク上に形成される記録マークの形状を示す図である。
【図３】情報記録を一旦停止した後再開する場合に、本発明によって実現されるレーザ発光の強度変化と記録マークの形状を示す図である。
【図４】情報記録が一旦停止されたときのレーザ発光強度の時間変化を示す図である。
【図５】一定時間記録が停止した後に記録を再開する場合のレーザ発光の強度変化と記録マークの形状を示す図であり、（ａ）が従来の場合、（ｂ）が本発明の場合である。
【図６】光ディスク上での記録停止位置を示す図である。
【図７】光ディスク上での記録再開位置を示す図である。
【図８】記録制御回路の構成の一例を示す図である。
【図９】記録再開指示がなされたときの処理手順を示す図である。
【符号の説明】
【００３８】
１  光ディスク
２ａ  スピンドルサーボ回路
２ｂ  スピンドルモータ
３  ピックアップ
４  サーボ回路
５  レーザパワーコントロール回路
６  アドレス信号復調回路
７  コントローラ
８  変調回路
９  レーザドライブ回路
１０  記録制御回路
１１  ＲＦ信号復調回路
１２  記録再生位置決定回路
１３  第１変調データバッファ
１４  第２変調データバッファ
【図１】
2005032387.tif 000003
【図２】
2005032387.tif 000004
【図３】
2005032387.tif 000005
【図４】
2005032387.tif 000006
【図５】
2005032387.tif 000007
【図６】
2005032387.tif 000008
【図７】
2005032387.tif 000009
【図８】
2005032387.tif 000010
【図９】
2005032387.tif 000011